(57)【要約】【課題】利用者の身体に密着して掛けることができ、動きやすく、保温性が高いブランケットを提供する。【解決手段】保温性を有する布体１２により形成され、布体１２は幅広な帯体である巻付部２２と、巻付部２２の互いに対向する一端部同士を係合する係合部材である面ファスナ２４，２６を有する。巻付部２２の一端部とは直交する側に連続して設けられ巻付部２２の側方へ延出した広がり部２８と、広がり部２８の両端先端部に形成され互いに離れる方へ延びた一対の舌片３０を有する。広がり部２８と巻付部２２の間に設けられ、巻付部２２の端縁部から広がり部２８の内側へ向かって形成された一対の切込部３６を備える。広がり部２８の先端部の一対の舌片３０の間は、広がり部２８の内側へ湾曲して窪む凹部３４となっている。【選択図】　　　　図１
2004019071.tif 000002
【特許請求の範囲】
【請求項１】
保温性を有する布体により形成され、上記布体は幅広な帯体である巻付部と、上記巻付部の互いに対向する一端部同士を係合する係合部材と、上記巻付部の一端部とは直交する側に連続して設けられ上記巻付部の側方へ延出した広がり部と、上記広がり部の両端先端部に形成され互いに離れる方へ延びた一対の舌片と、上記広がり部と上記巻付部の間に設けられ、上記巻付部の端縁部から上記広がり部の内側へ向かって形成された一対の切込部が設けられたことを特徴とするブランケット。
【請求項２】
上記広がり部の先端部の上記一対の舌片の間は、上記広がり部の内側へ湾曲して窪む凹部を有することを特徴とする請求項１記載のブランケット。
【請求項３】
上記巻付部の係合部材は、上記巻付部の端縁部付近に取り付けられた面ファスナであることを特徴とする請求項１記載のブランケット。
【発明の詳細な説明】
【０００１】
【発明の属する技術分野】
この発明は、膝や肩に掛ける保温または防寒用のブランケットに関する。
【０００２】
【従来の技術】
病院や老人施設での車椅子利用者は、ベッドと車椅子による生活を送っている。そして、ベッドから出て車椅子を利用する時、通常は上半身にカーディガン等を着用し、下半身にブランケットをかけて車椅子に乗る。従来使用されているブランケットは、長方形で毛布のような素材で作られている。
【０００３】
【発明が解決しようとする課題】
上記従来の技術のブランケットは、長方形に形成されているため車椅子に腰掛けた利用者の体勢に密着せず、膝下の裏側や腰回りに隙間が生じて、その部分が外気に曝され、冷え易いものである。また、従来のブランケットは利用者の身体に密着していないため落下しやすく、また密着させようとすると動きにくいという欠点もあった。
【０００４】
この発明は上記従来の問題点に鑑みてなされたものであり、利用者の身体に密着して掛けることができ、動きやすく、保温性が高いブランケットを提供することを目的とする。
【０００５】
【課題を解決するための手段】
この発明は、保温性を有する布体により形成され、上記布体は幅広な帯体である巻付部と、上記巻付部の互いに対向する一端部同士を係合する係合部材と、上記巻付部の一端部とは直交する側に連続して設けられ上記巻付部の側方へ延出した広がり部と、上記広がり部の両端先端部に形成され互いに離れる方へ延びた一対の舌片と、上記広がり部と上記巻付部の間に設けられ、上記巻付部の端縁部から上記広がり部の内側へ向かって形成された一対の切込部が設けられたブランケットである。
【０００６】
またこの発明は、上記広がり部の先端部の上記一対の舌片の間は、上記広がり部の内側へ湾曲して窪む凹部を有する。また、上記巻付部の係合部材は、上記巻付部の端縁部付近に取り付けられた面ファスナである。
【０００７】
この発明のブランケットは、巻付部を身体の一部、例えば胴体や下腿部に巻き回して筒状に係止することができる。そして広がり部を、巻付部近傍の身体の一部、例えば肩や大腿部に広げて掛ける。このとき、一対の舌片は、両肩や腰の両脇にかかって密着し、また一対の舌片の間の凹部は首の後ろや腹部のカーブに沿って取り付けられる。これにより、身体との間に隙間が少なく保温性が良好となる。
【０００８】
【発明の実施の形態】
以下、この発明の実施形態について図面に基づいて説明する。図１〜図３はこの発明の一実施形態を示すものであり、この実施形態のブランケット１０は、保温性を有する布体１２で作られている。
【０００９】
図１は、布体１２の表側を表したものである。布体１２には直線で形成された端縁部１２ａが設けられ、そして端縁部１２ａにほぼ直角に連続する一対の側縁部１２ｂ，１２ｃと、端縁部１２ａに対して平行な端縁部１２ｄで囲まれた幅広な帯体である巻付部２２が設けられている。端縁部１２ａ，側縁部１２ｂ，端縁部１２ｄ，側縁部１２ｃがそれぞれ交差する角部１４，１６，１８，２０は、角が丸められている。側縁部１２ｂより少し内側の、角部１６寄りの位置には、布体１２の表側に面ファスナ２４が設けられている。そして、側縁部１ｃより少し内側の、角部１８寄りの位置には、布体１２の裏側に面ファスナ２６が設けられている。面ファスナ２４，２６は、ループ部材と鉤部材が混在したものであり、面ファスナ２４，２６は互いに係止されるが、布体１２の繊維に接触しても絡まらないものが使用されている。
【００１０】
布体１２の端縁部１２ｄの、ほぼ中央付近に連続して、巻付部２２の側方へ突出する広がり部２８が一体に形成されている。広がり部２８は、巻付部２２の端縁部１２ｄから離れるに従い端縁部１２ｄに対して平行な方向に広がる形状に形成されている。そして、広がり部２８の先端側には一対の舌片３０，３２が設けられ、舌片３０，３２は互いに離れる方向へ延出して形成されている。広がり部２８の先端部には、一対の舌片３０，３２の間に、広がり部２８の内側へ湾曲して窪む凹部３４が形成されている。
【００１１】
また、広がり部２８と巻付部２２の間には、巻付部２２の端縁部１２ｄを一辺とする三角形状の切込部３６，３８が形成されている。一対の切込部３６，３８の間は、布体１２が細くなる折曲部４０となる。
【００１２】
次にブランケット１０の使用方法について説明する。ブランケット１０を車椅子様ひざ掛けとして使用する場合は、図２に示すように、まず利用者を車椅子４２に腰掛けさせる。そしてブランケット１０を、凹部３４で腹部を囲むようにかける。このとき、広がり部２８は腹部と大腿部を覆う。そして一対の舌片３０，３２は腰の両脇に延出し腰の側面を覆う。そして折曲部４０は膝付近に位置し、膝に沿って折り曲げられている。膝の両脇には切込部３６，３８が位置するため、折曲部４０の折り曲げの際に余分な布体１２が重ねられることがない。そして、ブランケット１０の巻付部２２は下腿部を覆い、巻付部２２の一対の側縁部１２ｂ，１２ｃが脹ら脛側で互いに近づくように巻き回す。そして側縁部１２ｂの外側に１２ｃを重ね合わせ、面ファスナ２４，２６で互いに係止し、下腿部を包む筒体とする。
【００１３】
また、ブランケット１０を肩掛けとして使用する場合は、図３に示すように、凹部３４で首の後ろ側を包むように掛け、広がり部２８は肩と背中の上部を覆う。そして、一対の舌片３０，３２は肩の前側に延出して胸と腕の上部を覆う。そして、脇の下付近には切込部３６，３８が位置し、巻付部２２は胴体を覆う。巻付部２２の一対の側縁部１２ｂ，１２ｃが腹部で互いに近づくように巻き回す。そして側縁部１２ｂの外側に１２ｃを重ね合わせ、面ファスナ２４，２６で互いに係止し、胴体を包む筒体とする。
【００１４】
この実施形態のブランケット１０によれば、利用者の身体に密着して取り付けられるため、動きやすく保温性が良好である。利用者が車椅子４２に腰掛けて屈曲した姿勢のときも、凹部３４が腹部の曲線に沿うため、腹部との間に隙間ができず冷たい空気が入って来ず、また舌片３０，３２が腰の両脇に達するため、身体の側面も確実に覆って保温する。そして、巻付部２２は、下腿部を筒状に覆ってしまうため、冷たい空気が入って来ず保温性が高い。また、折曲部４０の両脇には切込部３６，３８が設けられているため、折曲部４０を膝に沿って曲げる時は、膝の両側に余分な布体１２が重ねられて邪魔になることが無い。ブランケット１０は、肩掛けとして使用する際も、巻付部２２が胴体を包み、凹部３４や舌片３０，３２が肩や首に密着し、保温性が高い。また、ブランケット１０は身体に密着しているため、落下する恐れが無く便利である。また、利用者は体を動かしやすいため、快適である。介護者も、落下や位置ずれを常に注意する必要が無く、負担が少なくなる。
【００１５】
なお、この発明のブランケットは、上記実施の形態に限定されるものではなく、巻付部を筒状にする係止手段は面ファスナ以外に、簡単で安全なものであれば良い。各部材の長さや曲線の半径等は、自由に変更である。そして、車椅子利用者以外にも、椅子に座って仕事をする際や、乗り物に乗って移動する際等、いろいろな用途に利用することができる。
【００１６】
【発明の効果】
この発明のブランケットは、利用者の身体に密接し易く、保温性が高い。また、落下する恐れが無く便利であり、また動きやすいものである。
【図面の簡単な説明】
【図１】この発明の一実施形態のブランケットの正面図である。
【図２】この実施形態のブランケットのひざ掛けとしての使用状態を示す斜視図である。
【図３】この実施形態のブランケットの肩掛けとしての使用状態を示す斜視図である。
【符号の説明】
１０　ブランケット
１２　布体
１４，１６，１８，２０　角部
２２　巻付部
２４，２６　面ファスナ
２８　広がり部
３０，３２　舌片
３４　凹部
３６，３８　切込部
４０　折曲部
４２　車椅子
【図１】
2004019071.tif 000003
【図２】
2004019071.tif 000004
【図３】
2004019071.tif 000005